(57)【要約】      （修正有）【課題】泥土の回収やタンク内の清掃が容易になると共に、排水用水中ポンプや吸引装置への泥土の進入を防止することができる工事現場用の掃除機を提供する。【解決手段】移動台車と、泥水を吸引する吸引口２１ａを有すると共に、吸引した泥水を泥土と水に分離するメインタンク４と、分離した水を排水する排水口３０ａと吸引した空気を排出する空気排出口３２ａを有すると共に、メインタンク４内で分離した水とメインタンク４内の空気を受け入れるポンプタンク６と、メインタンク４内及びポンプタンク６内を負圧にして泥水をメインタンク４内に吸引する吸引装置と、制御盤とを備えた工事現場用の掃除機であって、前記メインタンク４は、メインタンク４内に収容され、上方が開放された多数の孔を有するバスケット２と、バスケット２内に着脱自在に装着され、吸引口２１ａから吸引された泥水を受け入れて泥土と水に分離する上方が開放された脱水用メッシュ袋とを備えている。【選択図】図４
0003211893.tif 000002
【実用新案登録請求の範囲】
【請求項１】
可搬式の移動台車（１）と、移動台車（１）に設けられ、泥水を吸引する吸引口（２１ａ）を有すると共に、吸引した泥水を泥土と水に分離するメインタンク（４）と、移動台車（１）に設けられ、分離した水を排水する排水口（３０ａ）と吸引した空気を排出する空気排出口（３２ａ）を有すると共に、メインタンク（４）内で分離した水とメインタンク（４）内の空気を受け入れるポンプタンク（６）と、移動台車（１）に設けられ、メインタンク（４）内及びポンプタンク（６）内を負圧にして泥水をメインタンク（４）内に吸引する吸引装置（７）と、移動台車（１）に設けた制御盤（８）とを備えた工事現場用の掃除機であって、前記メインタンク（４）は、メインタンク（４）内に収容され、上方が開放された多数の孔を有するバスケット（２）と、バスケット（２）内に着脱自在に装着され、吸引口（２１ａ）から吸引された泥水を受け入れて泥土と水に分離する上方が開放された脱水用メッシュ袋（３）とを備え、また、前記ポンプタンク（６）は、ポンプタンク（６）内に収容され、ポンプタンク（６）内に溜まった水を排水口（３０ａ）から排水する水位検知方式がセンサータイプの排水用水中ポンプ（５）を備えていることを特徴とする工事現場用の掃除機。
【請求項２】
前記排水用水中ポンプ（５）は、停止水位、運転水位、異常高水位の３点を検知する高さの異なる三つのセンサー検知部（５ａ），（５ｂ），（５ｃ）を外部に備えた静電容量式水中ポンプとしたことを特徴とする請求項１に記載の工事現場用の掃除機。
【請求項３】
前記バスケット（２）は、上方が開放されたパンチングバスケット又はメッシュバスケットとし、また、前記脱水用メッシュ袋（３）は、開口部に締め付け紐（３ａ）又は締め付けバンドが設けられており、脱水用メッシュ袋（３）の開口部が広げられた状態でバスケット（２）の開口部に締め付け紐（３ａ）又は締め付けバンドにより締め付け固定されていることを特徴とする請求項１に記載の工事現場用の掃除機。
【請求項４】
前記メインタンク（４）及びポンプタンク（６）は、何れもステンレス板により形成されて移動台車（１）に着脱自在に取り付けられており、上方が開放されたタンク本体（１８），（２７）と、タンク本体（１８），（２７）の開口部を開閉自在に覆う開閉蓋（２０），（２９）と、タンク本体（１８），（２７）の下端部に設けた開閉可能な清掃用点検窓（２４），（３５）とをそれぞれ備えていることを特徴とする請求項１に記載の工事現場用の掃除機。
【請求項５】
前記メインタンク（４）とポンプタンク（６）との間に、メインタンク（４）内で分離された水をポンプタンク（６）内に導く水通路（３６）と、メインタンク（４）内に泥水と一緒に吸引された空気をメインタンク（４）からポンプタンク（６）内に導く空気通路（３７）とをそれぞれ設け、前記ポンプタンク（６）内に、空気通路（３７）から流入したメインタンク（４）内の空気を上下方向へ反転させてから空気排出口（３２ａ）へ導く邪魔板（４４）を配設したことを特徴とする請求項１又は請求項４に記載の工事現場用の掃除機。
【請求項６】
前記吸引装置（７）は、ポンプタンク（６）の空気排出口（３２ａ）に吸入ホース（４５）を介して接続され、メインタンク（４）内及びポンプタンク（６）内を負圧にして泥水をメインタンク（４）内に吸引する真空ブロワ（４６）と、真空ブロワ（４６）を駆動するモータ（４７）とを備えており、移動台車（１）上に真空ブロワ（４６）とモータ（４７）とを縦方向に組み付け、発熱温度の高い真空ブロワ（４６）をモータ（４７）の上側に配置したことを特徴とする請求項１に記載の工事現場用の掃除機。
【請求項７】
前記吸入ホース（４５）とポンプタンク（６）の空気排出口（３２ａ）との間に、Ｙ型ストレーナー（３３）を介設したことを特徴とする請求項６に記載の工事現場用の掃除機。
【請求項８】
前記真空ブロワ（４６）は、真空ブロワ（４６）の使用可能性範囲を超えた際に自動的に大量の空気を取り込む安全弁を備えていることを特徴とする請求項６に記載の工事現場用の掃除機。
【請求項９】
前記真空ブロワ（４６）の吐出口に消音器（５０）を接続し、当該消音器（５０）を移動台車（１）上に大気中へ開放された状態で且つ縦向き姿勢で配置すると共に、消音器（５０）の外周面を断熱材で被覆したことを特徴とする請求項６、請求項７又は請求項８の何れかに記載の工事現場用の掃除機。
【請求項１０】
前記メインタンク（４）の吸引口（２１ａ）に、可撓性の吸引ホース（５７）を介して吸込みノズル（５９）を接続し、また、前記ポンプタンク（６）の排水口（３０ａ）に、可撓性の排水ホース（５８）を接続したことを特徴とする請求項１、請求項４、請求項５又は請求項６の何れかに記載の工事現場用の掃除機。
【請求項１１】
前記吸込みノズル（５９）は、吸引ホース（５７）の先端部に接続される吸引パイプ（６１）と、吸引パイプ（６１）の先端部に設けられ、先端に横幅を広げたスリット状の吸込み口を有するスクレーパーノズル（６２）とを備えており、前記吸引パイプ（６１）の基端部に吸引調整穴（６１ａ）を形成し、当該吸引調整穴（６１ａ）を吸引パイプ（６１）の基端部にスライド自在に外嵌した筒状のスライド部材（６３）で開閉可能としたことを特徴とする請求項１０に記載の工事現場用の掃除機。
【請求項１２】
前記移動台車（１）は、水平フレーム（９）と、水平フレーム（９）上に立設され、吸引装置（７）が収容される直方体状の収容フレーム（１０）と、収容フレーム（１０）の少なくとも上面及び左右側面を覆い、吸引装置（７）が収容される部屋を形成する取り外し可能又は開閉可能なカバー体（１１）と、収容フレーム（１０）に設けた操作レバー（１２）と、収容フレーム（１０）の上端部に設けた複数の吊り金具（１３）と、水平フレーム（９）の下面に設けた少なくとも六つのキャスター（１４）とを備えていることを特徴とする請求項１に記載の工事現場用の掃除機。
【請求項１３】
前記制御盤（８）は、少なくとも排水用水中ポンプ（５）を一定時間運転するポンプ用強制排水スイッチと、排水用水中ポンプ（５）及び吸引装置（７）を運転する運転押しボタン（５３）と、排水用水中ポンプ（５）及び吸引装置（７）を停止する停止押しボタン（５４）と、排水用水中ポンプ（５）及び吸引装置（７）の過負荷やポンプタンク（６）内の異常高水位を点灯及び点滅により知らせる異常表示灯（５６）とを備えていることを特徴とする請求項１に記載の工事現場用の掃除機。
【考案の詳細な説明】
【技術分野】
【０００１】
本考案は、例えば、土木現場や建設現場における土砂混じりの溜まり水や残水、コンクリート打設後のレイタンスカット水、貯水槽内の残水等の泥水を吸引して処理する工事現場用の掃除機の改良に関するものである。
【背景技術】
【０００２】
一般に、土木現場等における土砂混じりの溜まり水や残水等の泥水を吸引して処理する掃除機としては、シールド工事等で使用されるバキューマーが知られている。
【０００３】
前記バキューマーは、図示していないが、真空ポンプユニットと排水ポンプユニットとを組み合わせたものであり、大型で大掛かりな製品が多く、設置方法や配管の検討等、専門知識が必要であり、計画や手配に手数がかかるうえ、使用方法が複雑であると言う問題があった。
【０００４】
また、小型のバキューマーとしては、１００Ｖ仕様の乾湿両用の掃除機があるが、この掃除機は、泥水の吸引処理能力に劣ると言う問題があった。
【０００５】
そこで、上述したような問題を解決するため、比較的小型で使い易く、泥水の吸引処理能力もある工事用吸水機（以下、掃除機と呼ぶ）が開発され、実用に供されている（例えば、特許文献１及び非特許文献１参照）。
【０００６】
即ち、前記掃除機は、図示していないが、台車と、台車に設けたタンクと、タンクの上部に設けたサイクロンと、タンク内に取り出し可能に収容したメッシュ状のカゴと、タンク内に設けた排水ポンプと、台車に設けられ、タンク内を負圧にする真空ブロワ（真空ポンプ）等を備えている。
【０００７】
而して、前記掃除機によれば、真空ブロワの作動によりタンク内が負圧になると、サイクロンの吸込口から吸引された泥水は、サイクロンにより空気成分と泥土成分に分離しながら下方に落下する。このとき、負圧のタンク内においては、質量の大きい泥土は下方のカゴ内に落下し、質量の小さい空気成分は吸引パイプを経て真空ポンプに吸い込まれ、大気中へ排出される。
【０００８】
カゴ内に落下した泥土のうち、粗粒の泥土はカゴ内に残り、水分及び細かい泥土はカゴのメッシュを通過してタンクの底部に溜まり、排水ポンプで吸い上げられてタンク外へ排水される。カゴに泥土がある程度溜まると、タンクの上蓋を開放し、カゴをタンク内から取り出して泥土を処分する。
【０００９】
前記掃除機は、吸引した泥水を空気と水と泥土とに分離し、空気と水とはタンク外へ排出し、泥土はカゴに一定量収容した後、カゴごと取り出して処分するようにしているため、タンク内の泥水処理を比較的容易に且つ利便に行えると言う利点がある。
【００１０】
しかし、前記掃除機においても、下記の（１）〜（５）に示すような問題点が残されている。
（１）即ち、前記掃除機は、メッシュ状のカゴで泥水を直接受け取っているため、細かい    泥土の一部がカゴのメッシュを通り抜け、細かい泥土がタンク内に溜まったりするこ    とがあり、泥土の回収やタンク内の清掃に手数がかかると言う問題があった。
（２）また、前記掃除機は、泥土の一部がカゴのメッシュを通過して排水ポンプを閉塞し    たり、或いは、サイクロンにより分離された質量の小さい泥土が真空ブロワ内に侵入    したりすると言う問題があった。
（３）更に、前記掃除機は、真空ブロワ内への泥土の侵入対策として、真空ブロワの手前    に複数のタンクを設けており、また、タンク内の水位検知をフロート式で行っている    ので、真空引きによるフロートの浮き上がり誤検知を防止するのにフロート用の別の    部屋を設ける必要があり、装置自体が大型化すると言う問題があった。
（４）更に、前記掃除機は、真空ブロワのモータに出力が５．５ｋＷのモータを使用して    いるが、真空ブロワの発熱やモータの過負荷対策として回転数を１７５０ｒｐｍ程度    に落として使用し、モータの能力としては３．５ｋＷ位までしか活用していない。そ    の結果、泥水を吸引する際に能力不足となり、また、発熱や過負荷対策を行っても      モータが焼損すると言う問題があった。
（５）更に、前記掃除機は、消音器をブロワ室内に配設し、また、発熱温度の高い真空ブ    ロワの上方位置にモータを配設しているため、消音器の放熱効率が悪くなると共に、    モータが真空ブロワからの放熱を受けると言う問題があった。
【先行技術文献】
【特許文献】
【００１１】
【特許文献１】実開平６−６９３８９号公報
【非特許文献】
【００１２】
【非特許文献１】サンエー工業株式会社のホームページ内の製品一覧（清掃・回収（バキュームシュータータンク：泥水回収）のフーマ８Ｋ）、［平成２９年５月１８日検索］、インターネット＜ＵＲＬ：http://www.sanee.co.jp/＞
【考案の概要】
【考案が解決しようとする課題】
【００１３】
本考案は、このような問題点に鑑みて為されたものであり、その目的は、泥土の回収やタンク内の清掃が容易になると共に、排水用水中ポンプや吸引装置への泥土の進入を防止することができ、また、装置自体の小型化を図れると共に、吸引能力に優れた工事現場用の掃除機を提供することにある。
【課題を解決するための手段】
【００１４】
上記目的を達成するため、本考案に係る工事現場用の掃除機は、可搬式の移動台車と、移動台車に設けられ、泥水を吸引する吸引口を有すると共に、吸引した泥水を泥土と水に分離するメインタンクと、移動台車に設けられ、分離した水を排水する排水口と吸引した空気を排出する空気排出口を有すると共に、メインタンク内で分離した水とメインタンク内の空気を受け入れるポンプタンクと、移動台車に設けられ、メインタンク内及びポンプタンク内を負圧にして泥水をメインタンク内に吸引する吸引装置と、移動台車に設けた制御盤とを備えた工事現場用の掃除機であって、前記メインタンクは、メインタンク内に収容され、上方が開放された多数の孔を有するバスケットと、バスケット内に着脱自在に装着され、吸引口から吸引された泥水を受け入れて泥土と水に分離する上方が開放された脱水用メッシュ袋とを備え、また、前記ポンプタンクは、ポンプタンク内に収容され、ポンプタンク内に溜まった水を排水口から排水する水位検知方式がセンサータイプの排水用水中ポンプを備えていることに特徴がある。
【００１５】
前記排水用水中ポンプは、停止水位、運転水位、異常高水位の３点を検知する高さの異なる三つのセンサー検知部を外部に備えた静電容量式水中ポンプとすることが好ましい。
【００１６】
前記バスケットは、上方が開放されたパンチングバスケット又はメッシュバスケットとし、また、前記脱水用メッシュ袋は、開口部に締め付け紐又は締め付けバンドが設けられており、脱水用メッシュ袋の開口部が広げられた状態でバスケットの開口部に締め付け紐又は締め付けバンドにより締め付け固定されていることが好ましい。
【００１７】
前記メインタンク及びポンプタンクは、何れもステンレス板により形成されて移動台車に着脱自在に取り付けられており、上方が開放されたタンク本体と、タンク本体の開口部を開閉自在に覆う開閉蓋と、タンク本体の下端部に設けた開閉可能な清掃用点検窓とをそれぞれ備えていることが好ましい。
【００１８】
前記メインタンクとポンプタンクとの間に、メインタンク内で分離された水をポンプタンク内に導く水通路と、メインタンク内に泥水と一緒に吸引された空気をメインタンクからポンプタンク内に導く空気通路とをそれぞれ設け、前記ポンプタンク内に、空気通路から流入したメインタンク内の空気を上下方向へ反転させてから空気排出口へ導く邪魔板を配設することが好ましい。
【００１９】
前記吸引装置は、ポンプタンクの空気排出口に吸入ホースを介して接続され、メインタンク内及びポンプタンク内を負圧にして泥水をメインタンク内に吸引する真空ブロワと、真空ブロワを駆動するモータとを備えており、移動台車上に真空ブロワとモータとを縦方向に組み付け、発熱温度の高い真空ブロワをモータの上側に配置することが好ましい。
【００２０】
前記吸入ホースとポンプタンクの空気排出口との間に、Ｙ型ストレーナーを介設することが好ましい。
【００２１】
前記真空ブロワは、真空ブロワの使用可能性範囲を超えた際に自動的に大量の空気を取り込む安全弁を備えていることが好ましい。
【００２２】
前記真空ブロワの吐出口に消音器を接続し、当該消音器を移動台車上に大気中へ開放された状態で且つ縦向き姿勢で配置すると共に、消音器の外周面を断熱材で被覆することが好ましい。
【００２３】
前記メインタンクの吸引口に、可撓性の吸引ホースを介して吸込みノズルを接続し、また、前記ポンプタンクの排水口に、可撓性の排水ホースを接続することが好ましい。
【００２４】
前記吸込みノズルは、吸引ホースの先端部に接続される吸引パイプと、吸引パイプの先端部に設けられ、先端に横幅を広げたスリット状の吸込み口を有するスクレーパーノズルとを備えており、前記吸引パイプの基端部に吸引調整穴を形成し、当該吸引調整穴を吸引パイプの基端部にスライド自在に外嵌した筒状のスライド部材で開閉可能とすることが好ましい。
【００２５】
前記移動台車は、水平フレームと、水平フレーム上に立設され、吸引装置が収容される直方体状の収容フレームと、収容フレームの少なくとも上面及び左右側面を覆い、吸引装置が収容される部屋を形成する取り外し可能又は開閉可能なカバー体と、収容フレームに設けた操作レバーと、収容フレームの上端部に設けた複数の吊り金具と、水平フレームの下面に設けた少なくとも六つのキャスターとを備えていることが好ましい。
【００２６】
前記制御盤は、少なくとも排水用水中ポンプを一定時間運転するポンプ用強制排水スイッチと、排水用水中ポンプ及び吸引装置を運転する運転押しボタンと、排水用水中ポンプ及び吸引装置を停止する停止押しボタンと、排水用水中ポンプ及び吸引装置の過負荷やポンプタンク内の異常高水位を点灯及び点滅に知らせる異常表示灯とを備えていることが好ましい。
【考案の効果】
【００２７】
本発明に係る工事現場用の掃除機は、吸引した泥水を泥土と水に分離するメインタンクが、多数の孔を有するバスケットと、バスケット内に着脱自在に装着されて吸引された泥水を受け入れて泥水と水に分離する脱水用メッシュ袋とを備えているため、従来の掃除機のように泥土の一部がメッシュ状のカゴを通り抜けてタンク内に溜まったりすると言うことがなく、泥土が脱水用メッシュ袋により良好に回収されることになり、泥土の回収が容易になると共に、メインタンク内の清掃も簡単になる。
【００２８】
本発明に係る工事現場用の掃除機は、バケット内に着脱装着した脱水用メッシュ袋で泥水中の泥土を回収しているため、排水用水中ポンプや吸引装置内への泥土の進入を防止することができ、排水用水中ポンプや吸引装置の故障がなくなるうえ、泥土が入った脱水用メッシュ袋をそのまま産廃として捨てたり、或いは、再利用したりすることができる。
【００２９】
本発明に係る工事現場用の掃除機は、タンクがメインタンクとポンプタンクの二つから成り、ポンプタンク内に水位検知方式がセンサータイプの排水用水中ポンプを配設しているため、従来の掃除機のようにタンクを多数設けたり、水位検知がフロート式のようにフロート用の別の部屋を設けたりする必要がなく、従来の掃除機に比較して装置自体の小型化を図ることができる。
【００３０】
本発明に係る工事現場用の掃除機は、排水用水中ポンプに、停止水位、運転水位、異常高水位の３点を検知する高さの異なる三つのセンサー検知部を外部に備えたセンサータイプの静電容量式水中ポンプを使用しているため、誤検知が極めて起こり難くなり、排水用水中ポンプの誤作動を防止することができる。また、検知部が異常高水位を検知した場合に、排水ホースの詰まりや排水用水中ポンプの異常と判断し、全ての運転を停止して吸引装置内への水の浸入を防止することができる。
【００３１】
本発明に係る工事現場用の掃除機は、脱水用メッシュ袋の開口部に締め付け紐又は締め付けバンドを設け、脱水用メッシュ袋の開口部を広げた状態でバスケットの開口部に締め付け紐又は締め付けバンドにより締め付け固定するようにしているため、吸引された泥水を脱水用メッシュ袋に確実且つ良好に受け入れることができる。
【００３２】
本発明に係る工事現場用の掃除機は、メインタンク及びポンプタンクをステンレス板により形成しているため、ケレン（汚れやさび、旧塗膜を落とす作業）後の塗装が不要になる。また、メインタンク及びポンプタンクを移動台車に着脱自在に取り付けているため、ショットブラストを使用してケレンすることができ、整備工程の削減を図ることができる。更に、メインタンク及びポンプタンクに開閉可能な清掃用点検窓を設けているため、メインタンク及びポンプタンクの清掃を簡単且つ容易に行える。
【００３３】
本発明に係る工事現場用の掃除機は、メインタンクとポンプタンクとの間に、メインタンク内に泥水と一緒に吸引された空気をメインタンクからポンプタンク内へ導く空気通路を設け、前記ポンプタンク内に、前記空気通路から流入したメインタンク内の空気を上下方向へ反転させてからポンプタンクの空気排出口へ導く邪魔板を配設しているため、メインタンク内の飛沫がポンプタンクの空気排出口側へ流れ難くなり、しかも、メインタンク内に吸引された泥水が脱水用メッシュ袋によりある程度飛沫を抑えられることになり、吸引装置内への水分の流入や粉塵の侵入を防止することができる。
【００３４】
本発明に係る工事現場用の掃除機は、吸引装置が真空ブロワとモータとを備えており、移動台車上に真空ブロワとモータとを縦方向に組み付け、発熱温度の高い真空ブロワをモータの上側に配置する構成としているため、モータが真空ブロワからの放熱を受けることがなく、モータの温度上昇を抑制することができる。
【００３５】
本発明に係る工事現場用の掃除機は、ポンプタンクの空気排出口と吸引装置の真空ブロワとを吸入ホースで接続し、吸入ホースとポンプタンクの空気排出口との間にＹ型ストレーナーを介設しているため、真空ブロワへの粉塵の侵入をより一層防止することができる。
【００３６】
本発明に係る工事現場用の掃除機は、真空ブロワが、真空ブロワの使用可能性範囲（高負圧範囲）を超えた際に自動的に大量の空気を取り込む安全弁を備えているため、真空度がある一定値に達すると、安全弁が自動的に開き、大量の空気を取り込んでモータの過負荷及び真空ブロワの発熱を防止することができる。また、真空ブロワが安全弁を備えているため、真空ブロワの回転数を落とすことなく、モータ出力をＭＡＸで使用することができ、泥水の吸引時でも吸引力を一定以上に保つことができる。
【００３７】
本発明に係る工事現場用の掃除機は、真空ブロワの吐出口に消音器を接続し、当該消音器を移動台車上に大気中へ開放された状態で且つ縦向き姿勢で配置しているため、放熱効率が良くなる。また、消音器の外周面を断熱材で被覆しているため、消音器の発熱による火傷を防止することができる。
【００３８】
本発明に係る工事現場用の掃除機は、メインタンクの吸引口に可撓性の吸引ホースを介して吸込みノズルを接続し、また、前記ポンプタンクの排水口に可撓性の排水ホースを接続しているため、狭い箇所の溜まり水の排水、貯水槽内の残水の吸引、ポンプが入らない場所の残水の排水等を行え、作業性に優れているうえ、所定の場所へ排水することができて至極便利である。
【００３９】
本発明に係る工事現場用の掃除機は、吸込みノズルが、吸引パイプの先端部にスリット状の吸込み口を有するスクレーパーノズルを設ける構成としているため、吸引効率の向上を図れると共に、床面等にこびり付いた泥土等であっても削り取って吸引することができる。また、吸引パイプの基端部に吸引調整穴を形成し、当該吸引調整穴を吸引パイプの基端部にスライド自在に外嵌した筒状のスライド部材で開閉可能としているため、吸込みノズルの水没させるときや吸込み揚程が高いとき等にはスライド部材をスライドさせて吸引調整穴を開放して吸引すると、閉塞を防止することができ、また、残水を吸引するときにはスライド部材をスライドさせて吸引調整穴を閉塞すると、吸引力が高められることになる。
【００４０】
本発明に係る工事現場用の掃除機は、移動台車が、少なくとも六つのキャスターを備えているため、走行時に溝等に脱輪し難くなる。また、移動台車が吸引装置を覆う取り外し可能又は開閉可能なカバー体を備えているため、カバー体を開放することによって吸引装置のメンテナンスを簡単且つ容易に行うことができる。
【００４１】
本発明に係る工事現場用の掃除機は、制御盤が、排水用水中ポンプを一定時間運転するポンプ用強制排水スイッチを備えているため、強制排水スイッチを押すと、一定時間だけ排水用水中ポンプが作動し、ポンプタンク内の水を排水することになり、排水用水中ポンプの動作確認や作業修理後の水抜きに至極便利である。また、制御盤が、排水用水中ポンプ及び吸引装置の過負荷やポンプタンク内の異常高水位を点灯及び点滅により知らせる異常表示灯を備えているため、異常部分を限定し易くなる。
【図面の簡単な説明】
【００４２】
【図１】本考案の実施形態に係る工事現場用の掃除機を正面側から見た斜視図である。
【図２】同じく工事現場用の掃除機を背面側から見た斜視図である。
【図３】カバー体の一部を外した状態の工事現場用の掃除機の左側面図である。
【図４】工事現場用の掃除機のメインタンク及びポンプタンク部分の斜視図である。
【図５】同じくメインタンク及びポンプタンク部分の正面図である。
【図６】同じくメインタンク及びポンプタンク部分の平面図である。
【図７】同じくメインタンク及びポンプタンク部分の左側面図である。
【図８】同じくメインタンク及びポンプタンク部分の右側面図である。
【図９】脱水用メッシュ袋を示し、（Ａ）は脱水用メッシュ袋を偏平状にした状態の正面図、（Ｂ）はメインタンクから取り出したバスケットに脱水用メッシュ袋を装着した状態の斜視図、（Ｃ）は脱水用メッシュ袋内に泥土を入れた状態の斜視図である。
【図１０】吸込みノズル、吸引ホース及び排水ホースを示し、（Ａ）は吸込みノズルの正面図、（Ｂ）は吸引ホースの正面図、（Ｃ）は排水ホースの正面図である。
【考案を実施するための形態】
【００４３】
以下、本考案の実施形態を図面に基づいて詳細に説明する。
図１〜図３は本考案の実施形態に係る工事現場用の掃除機を示し、当該工事現場用の掃除機は、例えば、土木現場や建設現場における土砂混じりの溜まり水や残水、コンクリート打設後のレイタンスカット水、貯水槽内の残水等の泥水を吸引して処理するものであり、可搬式の移動台車１と、移動台車１に設けられ、バスケット２及び脱水用メッシュ袋３を収容したメインタンク４と、移動台車１に設けられ、排水用水中ポンプ５を収容したポンプタンク６と、移動台車１に設けられ、メインタンク４内及びポンプタンク６内を負圧にする吸引装置７と、移動台車１に設けた制御盤８とを備えている。
【００４４】
前記可搬式の移動台車１は、図１〜図３に示す如く、複数本の金属製柱材により枠状に形成された水平フレーム９と、水平フレーム９上に立設され、複数本の金属製柱材により直方体状に形成されて吸引装置７が収容される収容フレーム１０と、収容フレーム１０の上面及び左右側面を覆い、吸引装置７が収容される部屋を形成する上面カバー１１ａ及び二枚の側面カバー１１ｂから成るカバー体１１と、収容フレーム１０に水平姿勢で設けた平面形状コ字状の操作レバー１２と、収容フレーム１０の上端部に設けた四つの吊り金具１３と、水平フレーム９の下面に二列の状態で設けた六つのキャスター１４とを備えており、カバー体１１の二枚の側面カバー１１ｂが複数本の蝶ボルト１５により収容フレーム１０に取り外し可能に取り付けられている。
【００４５】
尚、上記の実施形態においては、カバー体１１の二枚の側面カバー１１ｂを蝶ボルト１５により収容フレーム１０に対して取り外し可能としたが、他の実施形態においては、図示していないが、カバー体１１の二枚の側面カバー１１ｂをヒンジにより収容フレーム１０に揺動自在に取り付け、二枚の側面カバー１１ｂを開閉可能としても良い。
【００４６】
また、上記の実施形態においては、収容フレーム１０の上面及び左右側面をカバー体１１で覆うようにしたが、他の実施形態においては、図示していないが、収容フレームの上面、左右側面、正面及び背面をカバー体１１で覆うようにしても良い。
【００４７】
前記メインタンク４は、吸引した泥水を泥土と水に分離し、分離した水をポンプタンク６側へ流すと共に、メインタンク４内に吸引された空気をポンプタンク６内へ流すものであり、当該メインタンク４内には、上方が開放された多数の孔を有するバスケット２と、バスケット２内に着脱自在に装着され、吸引された泥水を受け入れて泥土と水に分離する上方が開放された脱水用メッシュ袋３とがそれぞれ収容されている。
【００４８】
具体的には、メインタンク４は、図１、図２、図４〜図６、図８に示す如く、ステンレス板により形成されて移動台車１に着脱自在に取り付けられており、下端部に移動台車１の水平フレーム９にボルト１６により固定される取付ブラケット１７を設けた上方が開放されたタンク本体１８と、タンク本体１８の開口部にヒンジ１９を介して揺動自在に取り付けられ、タンク本体１８の開口部を開閉自在に覆う開閉蓋２０と、開閉蓋２０に挿通状態で設けられ、吸引口２１ａを形成するＬ字状の吸引管２１と、吸引管２１の先端部に設けたレバーカップリング（雄アダプター及び雌カプラーから成るレバー式の継手）の雄アダプター２２と、タンク本体１８と開閉蓋２０との間に設けられ、開閉蓋２０を閉じた状態に保持するパッチン錠等の開閉手段２３と、タンク本体１８の下端部に設けたカム式構造の開閉可能な清掃用点検窓２４とを備えている。
【００４９】
また、バスケット２は、上方が開放された取っ手２ａ付きのステンレス製のパンチングバスケットから成り、メインタンク４内に開口が上を向く状態で且つ吸引管２１の基端部が開口内に位置する状態で収容保持されている。
【００５０】
更に、脱水用メッシュ袋３は、図９に示す如く、対向状のスリットを形成した開口部に二本の締め付け紐３ａが取り付けられており、開口部が広げられた状態でバスケット２の開口部に二本の締め付け紐３ａにより締め付け固定されている。
即ち、脱水用メッシュ袋３は、開口部を上に向けた状態でバスケット２内に挿入した後、脱水用メッシュ袋３の開口部を外方へ広げてバスケット２の開口部に沿って１８０度折り返し、二本の締め付け紐３ａをバスケット２の開口部側へ締め付けることにより、バスケット２の開口部に締め付け固定されている。この脱水用メッシュ袋３のメッシュは、脱水用メッシュ袋３内に泥水を受け入れたときに水のみが外部へ流れ出るように設定されている。
【００５１】
この実施形態においては、脱水用メッシュ袋３の大きさ（偏平状態にしたときの大きさ）は、幅が４８ｃｍで高さが６２ｃｍの長方形状に形成されている。また、メッシュの網目の大きさは、０．５ｍｍに形成されている。
【００５２】
尚、上記の実施形態においては、バスケット２に上方が開放されたパンチングバスケット２を使用したが、他の実施形態においては、バスケット２に上方が開放された籠状のメッシュバスケットを使用しても良い。
【００５３】
また、上記の実施形態においては、脱水用メッシュ袋３の開口部に二本の締め付け紐３ａを取り付けたが、他の実施形態においては、図示していないが、脱水用メッシュ袋３の開口部に締め付け紐３ａを一本だけ取り付けるようにしても良く、或いは、脱水用メッシュ袋３の開口部に締め付け紐３ａに換えて締め付けバンド（図示省略）を取り付け、脱水用メッシュ袋３の開口部を締め付けバンドによりバスケット２の開口部に締め付け固定するようにしても良い。
【００５４】
前記ポンプタンク６は、メインタンク４内で分離した水とメインタンク４内に吸引された空気を受け入れ、受け入れた水を排水すると共に、受け入れた空気を吸引装置７側へ排出するものであり、当該ポンプタンク６内には、ポンプタンク６内に溜まった水を排水口３０ａから排水する水位検知方式がセンサータイプの排水用水中ポンプ５が収容されている。
【００５５】
具体的には、ポンプタンク６は、図１、図４〜図７に示す如く、ステンレス板により形成されて移動台車１に着脱自在に取り付けられており、下端部に移動台車１の水平フレーム９にボルト２５により固定される取付ブラケット２６を設けた上方が開放されたタンク本体２７と、タンク本体２７の開口部にヒンジ２８を介して揺動自在に取り付けられ、タンク本体２７の開口部を開閉自在に覆う開閉蓋２９と、タンク本体２７の上部に貫通状に設けられ、排水口３０ａを形成する排水管３０と、排水管３０の先端部に設けたレバーカップリング（雄アダプター及び雌カプラーから成るレバー式の継手）の雄アダプター３１と、開閉蓋２９に挿通状態で設けられ、空気排出口３２ａを形成する排気管３２と、排気管３２の出口に設けられ、内部に異物やゴミ等を除去するスクリーンを内蔵したＹ型ストレーナー３３と、タンク本体２７と開閉蓋２９との間に設けられ、開閉蓋２９を閉じた状態に保持するパッチン錠等の開閉手段３４と、タンク本体２７の下端部に設けたカム式構造の開閉可能な清掃用点検窓３５とを備えている。
【００５６】
また、排水用水中ポンプ５は、図５に示す如く、停止水位、運転水位、異常高水位の３点を検知する高さの異なる三つのセンサー検知部５ａ，５，５ｃを外部に備えた静電容量式水中ポンプから成り、ポンプタンク６の底壁に起立姿勢で設置されている共に、静電容量式水中ポンプの吐出口が排水管３０に接続されている。この静電容量式水中ポンプは、最下位と真ん中のセンサー検知部５ａ，５ｂにより排水のＯＮ／ＯＦＦ制御を行っている。
即ち、静電容量式水中ポンプは、ポンプタンク６内に水が溜まって行き、真ん中のセンサー検知部５ｂが水位を検知すると、運転を開始して排水を行い、また、排水によりポンプタンク６内の水位が低下し、最下位のセンサー検知部５ａが水位を検知すると、運転を停止するように駆動制御されている。更に、静電容量式水中ポンプは、最上位のセンサー検知部５ｃまでポンプタンク６内の水位が上昇したときには、排水ホース５８の詰まり又は排水用水中ポンプ５の異常と判断して全てのシステムを停止し、吸引装置７内への水の浸入を防止するように駆動制御されている。
【００５７】
この実施形態においては、排水用水中ポンプ５には、株式会社桜川ポンプ製作所製の排水水中汚水ポンプ（３点式、型式：ＤＯＸ−２１２ＫＡＷ）が使用されている。
【００５８】
そして、前記メインタンク４とポンプタンク６との間には、図４に示す如く、メインタンク４内で分離された水をポンプタンク６内に導く水通路３６と、メインタンク４内に泥水と一緒に吸引された空気をメインタンク４からポンプタンク６内に導く空気通路３７とがそれぞれ設けられている。
即ち、前記水通路３６は、図５に示す如く、メインタンク４及びポンプタンク６の下端部にそれぞれ開口を形成し、各開口の外周縁部に設けたフランジ３８同士をパッキン３９を介して緊締具４０（ボルト及びナットから成る）で気密状に連結することにより形成されている。また、前記空気通路３７は、図５に示す如く、メインタンク４及びポンプタンク６の上端部にそれぞれ開口を形成し、各開口の外周縁部に設けたフランジ４１同士をパッキン４２を介して緊締具４３（ボルト及びナットから成る）で気密状に連結することにより形成されている。
【００５９】
更に、ポンプタンク６内には、図４〜図６に示す如く、空気通路３７から流入したメインタンク４内の空気を上下方向へ反転させてから空気排出口３２ａへ導く邪魔板４４を配設されている。この邪魔板４４は、上面及び一側面が開放されたボックス状に形成されており、邪魔板４４の上端が開閉蓋２９に貫通状に設けた排気管３２の下端よりも上方に位置する状態で且つポンプタンク６内の空気通路３７の開口を囲うようにしてポンプタンク６の内周面に取り付けられている。そのため、空気通路３７からポンプタンク６内に流入した空気は、邪魔板４４により一旦上方へ流れた後、開閉蓋２９付近で反転してから排気管３２内へ流れることになる。その結果、メインタンク４内の飛沫がポンプタンク６の空気排出口３２ａ側へ流れ難くなり、延いては、吸引装置７内への水分や粉塵の流入を防止することができる。
【００６０】
前記吸引装置７は、図３に示す如く、ポンプタンク６の空気排出口３２ａを形成する排気管３２の出口に設けたＹ型ストレーナー３３に吸入ホース４５を介して接続され、メインタンク４内及びポンプタンク６内を負圧にして吸引口２１ａから泥水をメインタンク４内に吸引する真空ブロワ４６と、真空ブロワ４６を駆動するモータ４７と、真空ブロワ４６とモータ４７を連動連結するベルト伝動機構４８（駆動プーリー４８ａ、従動プーリー４８ｂ及びベルト４８ｃから成る）とを備えており、カバー体１１で囲まれた空間内で且つ移動台車１上に真空ブロワ４６とモータ４７とが縦方向に組み付けられていると共に、発熱温度の高い真空ブロワ４６がモータ４７の上側に配置されている。これにより、モータ４７が真空ブロワ４６からの放熱を受けることがなく、モータ４７の温度上昇を抑制することができる。
【００６１】
また、真空ブロワ４６は、真空ブロワ４６の使用可能性範囲を超えた際に自動的に大量の空気を取り込む安全弁（図示省略）を備えており、真空度がある一定値に達すると、安全弁が自動的に開き、大量の空気を取り込んでモータ４７の過負荷及び真空ブロワ４６の発熱を防止するようになっている。その結果、真空ブロワ４６は、回転数を落とすことなく、モータ４７出力をＭＡＸで使用することができ、泥水の吸引時でも吸引力を一定以上に保つことができる。
【００６２】
更に、真空ブロワ４６の吐出口には、接続ホース４９を介して消音器５０が接続されている。この消音器５０は、移動台車１上に大気中へ開放された状態で且つ縦向き姿勢で配置されている。また、消音器５０の外周面は、断熱材（エアロフレックス（登録商標））で被覆されている。これにより、消音器５０の放熱効率が良くなると共に、消音器５０の発熱による火傷を防止することができる。
【００６３】
そして、前記吸引装置７においては、排水用水中ポンプ５の運転中は、真空ブロワ４６の運転を停止し、また、排水用水中ポンプ５の運転が停止されると、真空ブロワ４６が運転されように駆動制御されている。
【００６４】
この実施形態においては、真空ブロワ４６には、真空度が最大で−４０ｋＰａ、吸込量が最大で４．８４ｍ３／ｍｉｎ、回転数が２４００ｒｐｍのルーツ型ブロワが使用されている。また、モータ４７には、出力が５．５ｋＷのモータ４７が使用されている。更に、真空ブロワ４６は、真空度が−４０ｋＰａに達すると、安全弁が自動的に開き、大量の空気を取り込んでモータ４７の過負荷及び真空ブロワ４６の発熱を防止するようになっている。
【００６５】
前記制御盤８は、移動台車１上に設けられており、制御盤８内には、排水用水中ポンプ５を一定時間運転するポンプ用強制排水スイッチ（図示省略）と、漏電遮断機（図示省略）と、サーキットプロテクタ（図示省略）と、排水用水中ポンプ５のサーマルリレー（図示省略）と、吸引装置７のモータ４７用のサーマルリレー（図示省略）とが設けられ、また、制御盤８の表面には、電源を入れる電源ボタン５１と、電源が入ったことを表示する電源表示灯５２と、排水用水中ポンプ５及び吸引装置７を運転する運転押しボタン５３と、排水用水中ポンプ５及び吸引装置７を停止する停止押しボタン５４と、排水用水中ポンプ５の作動を知らせるポンプ用ランプ５５と、排水用ポンプ及び吸引装置７の過負荷やポンプタンク６内の異常高水位を点灯及び点滅により知らせる異常表示灯５６とが設けられている。
【００６６】
この実施形態においては、ポンプ用強制排水スイッチ（図示省略）を１回押すと、排水用水中ポンプ５が５秒間運転され、また、排水用ポンプ及び吸引装置７の過負荷により真空ブロワ４６等が発熱すると、異常表示灯５６が点灯し、ポンプタンク６内の水位が異常高水位になると、異常表示灯５６が点滅するようになっている。更に、運転押しボタン５３を押すと、排水用水中ポンプ５が５秒間運転した後、吸引装置７が運転されるようになっている。
【００６７】
そして、上述した工事現場用の掃除機は、付属品として、所定の長さの電源ケーブル（図示省略）と、メインタンク４の吸引口２１ａを形成する吸引管２１にレバーカップリングにより着脱自在に接続される所定の長さの可撓性の吸引ホース５７と、ポンプタンク６の排水口３０ａを形成する排水管３０にレバーカップリングにより着脱自在に接続される所定の長さの可撓性の排水ホース５８と、吸引ホース５７の先端部にレバーカップリングにより着脱自在に接続される吸込みノズル５９とを備えている。
【００６８】
前記吸込みノズル５９は、図１０に示す如く、基端部にレバーカップリングの雄アダプター６０を設けた金属製の吸引パイプ６１と、吸引パイプ６１の先端部に設けられ、先端に横幅を広げたスリット状の吸込み口を有するスクレーパーノズル６２とを備えており、吸引パイプ６１の基端部に吸引調整穴６１ａを形成し、当該吸引調整穴６１ａを吸引パイプ６１の基端部にスライド自在に外嵌したゴム製の筒状のスライド部材６３で開閉可能としている。
【００６９】
尚、この実施形態においては、電源ケーブル（図示省略）には、長さが１０ｍのキャブタイヤケーブルが使用され、また、吸引ホース５７には、両端部にレバーカップリングの雌カプラー６４を備えた長さが２０ｍ、呼び径が４０Ａの可撓性ホースが使用され、更に、排水ホース５８には、一端部にレバーカップリングの雌カプラー６５を設けた長さが５ｍ、呼び径が２５Ａの可撓性ホースが使用されている。
【００７０】
次に、上述した工事現場用の掃除機を使用し、土木現場や建設現場等において泥水を吸引して処理する場合について説明する。
【００７１】
先ず、工事現場用の掃除機を土木現場や建設現場に運んで水平な場所に設置し、メインタンク４の吸引口２１ａを形成する吸引管２１に吸引ホース５７及び吸込みノズル５９を順次接続すると共に、ポンプタンク６の排水口３０ａを形成する排水管３０に排水ホース５８を接続し、工事現場用の掃除機を電源ケーブル（図示省略）により電源に接続する。
【００７２】
このとき、吸込みノズル５９の先端を水没させる場合、或いは、吸引揚程が高い場合には、吸込みノズル５９のスライド部材６３を移動させ、吸引調整穴６１ａを開放状態にしておく。
【００７３】
次に、メインタンク４の開閉蓋２０を開けてバスケット２を取り出し、取り出したバスケット２内に脱水用メッシュ袋３を開口部を広げた状態で装着し、脱水用メッシュ袋３の開口部を締め付け紐３ａによりバスケット２の開口部に締め付け固定する。
【００７４】
バスケット２内に脱水用メッシュ袋３を装着したら、バスケット２及び脱水用メッシュ袋３をメインタンク４内に収容し、開閉蓋２０を閉める。
【００７５】
この状態で電源ボタン５１を押して電源を入れ、運転押しボタン５３を押す。そうすると、排水用水中ポンプ５が一定時間（この例では５秒間）だけ作動した後、吸引装置７の真空ブロワ４６が作動し、メインタンク４内の空気を吸入ホース４５を介して真空ブロワ４６側へ吸引してメインタンク４内及びポンプタンク６内を負圧にする。
【００７６】
メインタンク４内が負圧になると、吸込みノズル５９により土木現場等の泥水を吸引する。吸引した泥水は、吸引ホース５７を通って吸引管２１からメインタンク４内に回収され、バスケット２内の脱水用メッシュ袋３内に投入される。また、泥水と一緒に空気も、吸込みノズル５９によりメインタンク４内に吸引される。
【００７７】
このとき、吸込みノズル５９が吸引パイプ６１の先端部にスリット状の吸込み口を有するスクレーパーノズル６２を備えているため、吸引効率の向上を図れると共に、床面等にこびり付いた泥土等であっても削り取って吸引することができる。また、吸込みノズル５９の吸引パイプ６１の基端部に吸引調整穴６１ａを形成し、この吸引調整穴６１ａをスライド部材６３で開閉可能としているため、吸込みノズル５９の水没させるときや吸込み揚程が高いとき等にはスライド部材６３をスライドさせて吸引調整穴６１ａを開放して吸引すると、閉塞を防止することができ、また、残水を吸引するときにはスライド部材６３をスライドさせて吸引調整穴６１ａを閉塞すると、吸引力を高めることができる。更に、泥水は、脱水用メッシュ袋３内に投入されるため、飛沫をある程度抑えることができる。
【００７８】
脱水用メッシュ袋３内に投入された泥水は、脱水用メッシュ袋３により泥土と水に分離され、泥土のみが脱水用メッシュ袋３内に溜まる。
【００７９】
メインタンク４内に泥水と一緒に吸引された空気は、メインタンク４とポンプタンク６との間に設けた空気通路３７からポンプタンク６内に流入し、邪魔板４４により一旦上方へ流れた後、開閉蓋２９付近で反転してから排気管３２内へ流れ、吸入ホース４５を通って真空ブロワ４６に至り、消音器５０から大気中へ排出される。その結果、メインタンク４内の飛沫がポンプタンク６の空気排出口３２ａ側へ流れ難くなり、延いては、真空ブロワ４６内への水分や粉塵の流入を防止することができる。更に、ポンプタンク６の空気排出口３２ａと吸入ホース４５との間にＹ型ストレーナー３３を介設しているため、真空ブロワ４６への粉塵の侵入をより一層防止することができる。
【００８０】
そして、脱水用メッシュ袋３を通過した水は、バスケット２の複数の孔から流下し、メインタンク４の底部に溜まって行くと共に、メインタンク４とポンプタンク６との間に設けた水通路３６からポンプタンク６内に流入して行く。
【００８１】
ポンプタンク６内に水が溜まって行き、排水用水中ポンプ５の真ん中のセンサー検知部５ｂが水位を検知すると、排水用水中ポンプ５が作動してポンプタンク６内の水を吸い上げ、排水管３０から排水ホース５８を通して所定の場所（例えば、下水路等）へ排水する。尚、排水用水中ポンプ５の運転中は、吸引装置７の真空ブロワ４６の運転が停止されている。
【００８２】
排水用水中ポンプ５の排水によりポンプタンク６内の水位が低下し、排水用水中ポンプ５の最下位のセンサー検知部５ａが水位を検知すると、排水用水中ポンプ５が停止すると共に、吸引装置７の運転が再開される。これにより、吸込みノズル５９から泥水をメインタンク４内に吸引することができる。
【００８３】
このようにして、工事現場用の掃除機は、泥水の吸引→センサー検知部５ｂによる満水検知→排水用水中ポンプ５の始動→真空ブロワ４６の停止→センサー検知部５ａによる水位低下検知→排水用水中ポンプ５の停止→真空ブロワ４６の始動→泥水の吸引の動作を順次繰り返して行く。
【００８４】
そして、全ての泥水を吸引し終わったら、停止押しボタン５４を押し、工事現場用の掃除機の運転を停止する。尚、停止押しボタン５４を押すと、真空ブロワ４６内を除湿するために数分間（この例では３分間）だけ暖気運転を行ってから運転を停止する。この間、ポンプ用ランプ５５が点滅する。
【００８５】
作業終了後には、メインタンク４の開閉蓋２０及び清掃用点検窓２４とポンプタンク６の開閉蓋２９及び清掃用点検窓３５とをそれぞれ開け、泥土が入った脱水用メッシュ袋３をバスケット２ごと取り出し、泥土が入った脱水用メッシュ袋３をそのまま産廃として捨てたり、或いは、泥土だけを捨てて脱水用メッシュ袋３を洗浄して再利用する。また、メインタンク４及びポンプタンク６内の沈殿物の除去及び洗浄を行うと共に、排水用水中ポンプ５の三つのセンサー検知部５ａ，５ｂ，５ｃの汚れを取り除く。
【００８６】
尚、工事現場用の掃除機の運転中に、吸引能力が低下したり、吸引しない場合、或いは、異常表示灯５６が点灯又は点滅した場合、それぞれ原因を究明して対策を施す。例えば、吸引能力が低下した場合には、脱水用メッシュ袋３が満タン又は詰まっていることがあるので、工事現場用の掃除機の運転を停止し、脱水用メッシュ袋３を交換したり、清掃したりする。また、異常表示灯５６が点灯した場合には、排水用水中ポンプ５や吸引装置７が過負荷になっているので、排水用水中ポンプ５のサーマルリレー（図示省略）や吸引装置７のモータ４７用のサーマルリレーが働いて排水用水中ポンプ５や吸引装置７を停止するため、電源側の調整、安全弁の再調整、排水用水中ポンプ５の清掃等を行う。更に、異常表示灯５６が点滅した場合には、排水ホース５８や排水用水中ポンプ５が閉塞していたり、排水用水中ポンプ５のセンサー検知部５ａ，５ｂ，５ｃが汚れていたりしてポンプタンク６室内が異常高水位になっているので、排水ホース５８や排水用水中ポンプ５の閉塞を取り除いたり、排水用水中ポンプ５のセンサー検知部５ａ，５ｂ，５ｃの汚れを落としたりする。
【００８７】
このように、上述した工事現場用の掃除機は、バスケット２内に泥水を受け入れて泥水と水に分離する脱水用メッシュ袋３を装着しているため、従来の掃除機のように泥土の一部がメッシュ状のカゴを通り抜けてタンク内に溜まったりすると言うことがなく、泥土が脱水用メッシュ袋３により良好に回収されることになり、泥土の回収が容易になると共に、メインタンク４内の清掃も簡単になる。しかも、脱水用メッシュ袋３により排水用水中ポンプ５や吸引装置７内への泥土の進入を防止することができ、排水用水中ポンプ５や吸引装置７の故障がなくなると共に、泥土が入った脱水用メッシュ袋３をそのまま産廃として捨てたり、或いは、再利用したりすることができる。
【００８８】
また、前記工事現場用の掃除機は、タンクがメインタンク４とポンプタンク６の二つから成り、ポンプタンク６内に水位検知方式がセンサータイプの排水用水中ポンプ５を配設しているため、従来の掃除機のようにタンクを多数設けたり、水位検知がフロート式のようにフロート用の別の部屋を設けたりする必要がなく、従来の掃除機に比較して装置自体の小型化を図ることができる。例えば、吸引装置７に同じものを使用した場合、従来の掃除機は、長さが１８００ｍｍ、幅が１１５０ｍｍ、高さが８１５ｍｍになるのに対し、前記工事現場用の掃除機は、長さが１４００ｍｍ、幅が１１００ｍｍ、高さが７４０ｍｍになり、従来の掃除機に比較して小型化を図れる。
【００８９】
更に、前記工事現場用の掃除機は、排水用水中ポンプ５にセンサータイプの静電容量式水中ポンプを使用しているため、誤検知が極めて起こり難くなり、排水用水中ポンプ５の誤作動を防止することができる。また、センサー検知部５ｃが異常高水位を検知した場合に、排水ホース５８の詰まりや排水用水中ポンプ５の異常と判断し、全ての運転を停止して吸引装置７内への水の浸入を防止することができる。
【００９０】
更に、前記工事現場用の掃除機は、脱水用メッシュ袋３の開口部を広げた状態でバスケット２の開口部に締め付け紐３ａにより締め付け固定しているため、吸引された泥水を脱水用メッシュ袋３に確実且つ良好に受け入れることができる。
【００９１】
更に、前記工事現場用の掃除機は、メインタンク４及びポンプタンク６をステンレス板により形成しているため、ケレン（汚れやさび、旧塗膜を落とす作業）後の塗装が不要になる。また、メインタンク４及びポンプタンク６を移動台車１に着脱自在に取り付けているため、ショットブラストを使用してケレンすることができ、整備工程の削減を図ることができる。更に、メインタンク４及びポンプタンク６に開閉可能な清掃用点検窓２４，３５を設けているため、メインタンク４及びポンプタンク６の清掃を簡単且つ容易に行える。
【００９２】
更に、前記工事現場用の掃除機は、移動台車１上に真空ブロワ４６とモータ４７とを縦方向に組み付け、発熱温度の高い真空ブロワ４６をモータ４７の上側に配置する構成としているため、モータ４７が真空ブロワ４６からの放熱を受けることがなく、モータ４７の温度上昇を抑制することができる。
【００９３】
更に、前記工事現場用の掃除機は、真空ブロワ４６の作動時に真空度が一定の値に達すると、安全弁（図示省略）が自動的に開いて大量の空気を取り込むため、モータ４７の過負荷及び真空ブロワ４６の発熱を防止することができる。また、真空ブロワ４６が安全弁を備えているため、真空ブロワ４６の回転数を落とすことなく、モータ４７出力をＭＡＸで使用することができ、泥水の吸引時でも吸引力を一定以上に保つことができる。
【００９４】
更に、前記工事現場用の掃除機は消音器５０を移動台車１上に大気中へ開放された状態で且つ縦向き姿勢で配置しているため、放熱効率が良くなる。また、消音器５０の外周面を断熱材で被覆しているため、消音器５０の発熱による火傷を防止することができる。
【００９５】
更に、前記工事現場用の掃除機は、移動台車１が六つのキャスター１４を備えているため、走行時に溝等に脱輪し難くなる。また、移動台車１が吸引装置７を覆う取り外し可能又は開閉可能なカバー体１１を備えているため、カバー体１１を開放することによって吸引装置７のメンテナンスを簡単且つ容易に行うことができる。
【００９６】
更に、前記工事現場用の掃除機は、制御盤８が、排水用水中ポンプ５を一定時間運転するポンプ用強制排水スイッチ（図示省略）を備えているため、排水用水中ポンプ５の動作確認や作業修理後の水抜きに至極便利である。また、制御盤８が、排水用水中ポンプ５及び吸引装置７の過負荷やポンプタンク６内の異常高水位を点灯及び点滅により知らせる異常表示灯５６を備えているため、異常部分を限定し易くなる。
【符号の説明】
【００９７】
１は移動台車、２はバスケット、３は脱水用メッシュ袋、３ａは締め付け紐、４はメインタンク、５は排水用水中ポンプ、５ａ，５ｂ，５ｃはセンサー検知部、６はポンプタンク、７は吸引装置、８は制御盤、９は水平フレーム、１０は収容フレーム、１１はカバー体、１２は操作レバー、１３は吊り金具、１４はキャスタ、１８はタンク本体、２０は開閉蓋、２１ａは吸引口、２４は清掃用点検窓、２７はタンク本体、２９は開閉蓋、３０ａは排水口、３２ａは空気排出口、３３はＹ型ストレーナー、３５は清掃用点検窓、３６は水通路、３７は空気通路、４４は邪魔板、４５は吸入ホース、４６は真空ブロワ、４７はモータ、５０は消音器、５３は運転押しボタン、５４は停止押しボタン、５６は異常表示灯、５７は吸引ホース、５８は排水ホース、５９は吸込みノズル、６１は吸引パイプ、６１ａは吸引調整穴、６２はスクレーパーノズル、６３はスライド部材。
【図１】
0003211893.tif 000003
【図２】
0003211893.tif 000004
【図３】
0003211893.tif 000005
【図４】
0003211893.tif 000006
【図５】
0003211893.tif 000007
【図６】
0003211893.tif 000008
【図７】
0003211893.tif 000009
【図８】
0003211893.tif 000010
【図９】
0003211893.tif 000011
【図１０】
0003211893.tif 000012